(57)【要約】【課題】端子数が多くなっても、第１コネクタと第２コネクタとの確実な接続が容易となるコネクタを提供する。【解決手段】環状に配置された複数の第１接続端子１１を有する第１コネクタ１０と、複数の第１接続端子１１それぞれに対応して接続される複数の第２接続端子２１を有する第２コネクタ２０と、を備え、第１コネクタ１０は、複数の第１接続端子１１の内方側に、第１位置合わせ部１３と第２位置合わせ部１５とを有し、第２コネクタ２０は、複数の第２接続端子２１の内方側に、第１位置合わせ部１３と係合する第１位置合わせ係合部２３と、第２位置合わせ部１５と係合する複数の第２位置合わせ係合部２５とを有し、第１位置合わせ部１３の第２コネクタ２０に向けての突出量は、第２位置合わせ部１５の第２コネクタ２０に向けての突出量よりも大きい。【選択図】図１
2016207260.tif 000002
【特許請求の範囲】
【請求項１】
環状に配置された複数の第１接続端子を有する第１コネクタと、複数の前記第１接続端子それぞれに対応して接続される複数の第２接続端子を有する第２コネクタと、を備え、
前記第１コネクタは、複数の前記第１接続端子の内方側に、第１位置合わせ部と第２位置合わせ部とを有し、
前記第２コネクタは、複数の前記第２接続端子の内方側に、前記第１位置合わせ部と係合する第１位置合わせ係合部と、前記第２位置合わせ部と係合する複数の第２位置合わせ係合部とを有し、
前記第１位置合わせ部の前記第２コネクタに向けての突出量は、前記第２位置合わせ部の前記第２コネクタに向けての突出量よりも大きい、
ことを特徴とするコネクタ。
【請求項２】
前記第１コネクタは、複数の前記第１接続端子が設けられた第１コネクタハウジングを有し、
前記第１位置合わせ部が、前記第１コネクタハウジングの中央部に配設され、複数の前記第２位置合わせ部が、前記第１位置合わせ部を挟んで配設されている、
ことを特徴とする請求項１に記載のコネクタ。
【請求項３】
前記第２コネクタは、複数の前記第２接続端子が設けられた第２コネクタハウジングを有し、
前記第１位置合わせ係合部が、前記第２コネクタハウジングの中央部を貫通した第１開口からなる、
ことを特徴とする請求項１又は請求項２に記載のコネクタ。
【請求項４】
前記第１位置合わせ部の形状は平面視で略円形状であり、前記第２位置合わせ部の形状は、平面視で長手部と短手部とを有する形状又は矩形状である、
ことを特徴とする請求項１乃至請求項３のいずれかに記載のコネクタ。
【請求項５】
前記第１コネクタの外形形状が円形状であり、当該第１コネクタの外形形状に沿って複数の前記第１接続端子が環状に配置されていると共に、
前記第２コネクタの外形形状が円形状であり、当該第２コネクタの外形形状に沿って複数の前記第２接続端子が環状に配置されている、
ことを特徴とする請求項１乃至請求項４のいずれかに記載のコネクタ。
【発明の詳細な説明】
【技術分野】
【０００１】
本発明は、コネクタに関し、特に２枚の回路基板間の接続を行なうための基板対基板コネクタに関する。
【背景技術】
【０００２】
２枚の回路基板間の接続を行なうためのコネクタとして、例えば、特許文献１に開示された基板対基板電気コネクタ組立体９００が知られている。基板対基板電気コネクタ組立体９００の構造を図１２に示す。
【０００３】
基板対基板電気コネクタ組立体９００は、２枚の回路基板間の接続を行なうコネクタ組立体であって、嵌合面９１６ａと第１の回路基板上に実装するための実装面とを含む矩形状のハウジング９１６、及び該ハウジング９１６の４つの隅部において嵌合面９１６ａから突出する複数の離間された嵌合ポスト９２９を備える第１コネクタ９１２と、第１コネクタ９１２の嵌合面９１６ａと嵌合する第２コネクタ嵌合面、第２の回路基板上に実装するための実装面を含む第２ハウジング、及び第２ハウジングの嵌合面から実装面まで延在するとともに内壁を備える嵌合通路を備える第２コネクタと、を備えている。基板対基板電気コネクタ組立体９００は、第１コネクタ９１２の嵌合ポスト９２９の外壁が第２コネクタの嵌合通路の内壁にぴったりと適合し、嵌合ポスト９２９の外壁が実質的に第２コネクタの実装面まで延在してコネクタの位置合せをする、ように構成されている。
【０００４】
このような構成により、基板対基板電気コネクタ組立体９００は、第１コネクタ９１２の嵌合ポスト９２９が第２コネクタの嵌合通路内にぴったりと嵌ると共に、嵌合ポスト９２９が第２コネクタの取付け面まで延在して第１及び第２のコネクタ相互の位置合せを行い、それぞれのコネクタのぐらつきを防止して、端子の接触部を係合状態に維持することができるという効果を奏する。
【先行技術文献】
【特許文献】
【０００５】
【特許文献１】特許第４９５５７３１号公報
【発明の概要】
【発明が解決しようとする課題】
【０００６】
しかしながら、基板対基板電気コネクタ９００では、それぞれの嵌合ポストをほぼ同時に位置合わせする必要があり、それぞれの嵌合ポスト間の距離が離れてしまっていることによって、その位置合わせが容易ではないという問題があった。その結果、第１コネクタと第２コネクタとを確実に接続させることが困難となっていた。特に、端子数が多くなると、各嵌合ポスト間の距離が更に大きくなるため、第１コネクタと第２コネクタとの確実な接続が、更に困難になっていた。
【０００７】
本発明はこのような従来技術の実情に鑑みてなされたもので、端子数が多くなっても、第１コネクタと第２コネクタとの確実な接続が容易となるコネクタを提供することを目的とする。
【課題を解決するための手段】
【０００８】
上記課題を解決するために、コネクタは、環状に配置された複数の第１接続端子を有する第１コネクタと、複数の前記第１接続端子それぞれに対応して接続される複数の第２接続端子を有する第２コネクタと、を備え、前記第１コネクタは、複数の前記第１接続端子の内方側に、第１位置合わせ部と第２位置合わせ部とを有し、前記第２コネクタは、複数の前記第２接続端子の内方側に、前記第１位置合わせ部と係合する第１位置合わせ係合部と、前記第２位置合わせ部と係合する複数の第２位置合わせ係合部とを有し、前記第１位置合わせ部の前記第２コネクタに向けての突出量は、前記第２位置合わせ部の前記第２コネクタに向けての突出量よりも大きい、という特徴を有する。
【０００９】
このように構成されたコネクタは、第１位置合わせ部と第１位置合わせ係合部との位置合わせ、及び第２位置合わせ部と第２位置合わせ係合部との位置合わせの２段階の位置合わせを行なうため、端子数が多くなっても第１コネクタと第２コネクタとを確実に接続させることができる。それと共に、第１位置合わせ部の第２コネクタに向けての突出量を、第２位置合わせ部の第２コネクタに向けての突出量よりも大きくしたので、第１位置合わせ部と第１位置合わせ係合部との位置合わせを最初に行なうことができ、第１コネクタと第２コネクタとの接続を容易に行なうことができる。
【００１０】
また、上記の構成において、前記第１コネクタは、複数の前記第１接続端子が設けられた第１ハウジングを有し、前記第１位置合わせ部が、前記第１ハウジングの中央部に配設され、複数の前記第２位置合わせ部が、前記第１位置合わせ部を挟んで配設されている、という特徴を有する。
【００１１】
このように構成されたコネクタは、最初に位置合わせが行なわれる箇所が第１ハウジングの中央部にある第１位置合わせ部であり、次に位置合わせが行なわれる箇所が第１位置合わせ部を挟んで配設された第２位置合わせ部であるため、偏りの少ない接続を行なうことができる。
【００１２】
また、上記の構成において、前記第２コネクタは、複数の前記第２接続端子が設けられた第２ハウジングを有し、前記第１位置合わせ係合部が、前記第２ハウジングの中央部を貫通した第１開口からなる、という特徴を有する。
【００１３】
このように構成されたコネクタは、第２ハウジングの中央部に貫通した第１開口を設けたので、第２コネクタが取りつけられる回路基板の、第１位置合わせ係合部に対応する部分にも貫通する回路基板開口を形成しておくことによって、第１位置合わせ部が正しく位置合わせできているかを確認することができると共に、第１コネクタの第１位置合わせ部の突出量を大きくすることができる。その結果、第１位置合わせ部の突出量と第２位置合わせ部の突出量との差を大きく取れるので確実な係合を行なうことができる。
【００１４】
また、上記の構成において、前記第１位置合わせ部の形状は平面視で略円形状であり、前記第２位置合わせ部の形状は、平面視で長手部と短手部とを有する形状又は矩形状である、という特徴を有する。
【００１５】
このように構成されたコネクタは、第１位置合わせ部が略円形状であることで回転方向での位置ずれを気にせずに位置合わせすることができる。また、第２位置合わせ部が平面視で長手部と短手部とを有する形状又は矩形状であることによって、回転方向における位置合わせを容易に行なうことができる。
【００１６】
また、上記の構成において、前記第１コネクタの外形形状が円形状であり、当該第１コネクタの外形形状に沿って複数の前記第１接続端子が環状に配置されていると共に、前記第２コネクタの外形形状が円形状であり、当該第２コネクタの外形形状に沿って複数の前記第２接続端子が環状に配置されている、という特徴を有する。
【００１７】
このように構成されたコネクタは、第１コネクタ及び第２コネクタの外形形状が円形状であるため、第１コネクタ及び第２コネクタの外形形状が円形状でない場合（例えば矩形状の場合）に比べて、第１接続端子及び第２接続端子を外周全体に亘って連続して配置できるため、コネクタ本体の実装面積をより小さくすることができる。
【発明の効果】
【００１８】
本発明のコネクタは、第１位置合わせ部と第１位置合わせ係合部との位置合わせ、及び第２位置合わせ部と第２位置合わせ係合部との位置合わせの２段階の位置合わせを行なうため、端子数が多くなっても第１コネクタと第２コネクタとを確実に接続させることができる。それと共に、第１位置合わせ部の第２コネクタに向けての突出量を、第２位置合わせ部の第２コネクタに向けての突出量よりも大きくしたので、第１位置合わせ部と第１位置合わせ係合部との位置合わせを最初に行なうことができ、第１コネクタと第２コネクタとの接続を容易に行なうことができる。
【図面の簡単な説明】
【００１９】
【図１】第１及び第２コネクタが組み合わされた状態のコネクタの斜視図である。
【図２】コネクタを構成する各部材を示す分解斜視図である。
【図３】回路基板に取り付けられた状態のコネクタの正面図である。
【図４】第１コネクタの外観を示す斜視図である。
【図５】第２コネクタの外観を示す斜視図である。
【図６】第１コネクタと第２コネクタとが嵌合している部分の拡大斜視図である。
【図７】第１及び第２コネクタが組み合わされた状態のコネクタの平面図である。
【図８】第１コネクタと第２コネクタとを係合させる過程を示す斜視図である。
【図９】第１コネクタと第２コネクタとを係合させる過程を示す断面図である。
【図１０】コネクタの変形例の外観を示す斜視図である。
【図１１】回路基板に取り付けられた状態のコネクタの変形例の側面図である。
【図１２】従来例に係るコネクタを示す平面図である。
【発明を実施するための形態】
【００２０】
［実施形態］
以下、本発明の実施形態について図面を参照しながら説明する。本実施形態に係るコネクタ１００（基板対基板コネクタ）及びコネクタ２００（基板対基板コネクタ）は、例えば、スマートフォン等の電子機器内に取り付けられた２枚の回路基板同士を互いに接続するために用いられる。尚、本実施の形態に係るコネクタ１００及びコネクタ２００の用途については、これに限定されるものではなく適宜変更が可能である。本明細書では、特に断りの無い限り、各図面の＋Ｘ側を右側、−Ｘ側を左側、＋Ｙ側を後側、−Ｙ側を前側、＋Ｚ側を上側、−Ｚ側を下側として説明する。
【００２１】
図１乃至図３を参照して、コネクタ１００の全体構成について説明する。図１は、第１コネクタ１０及び第２コネクタ２０が組み合わされた状態のコネクタ１００の斜視図であり、図２は、コネクタ１００を構成する各部材を示す分解斜視図である。また、図３は、第１回路基板６１及び第２回路基板６２に取り付けられた状態のコネクタ１００の正面図である。尚、今後コネクタ１００又はその構成部材を示す時に、図３及び図１１以外の図面については、第１回路基板６１及び第２回路基板６２を省略して示す。
【００２２】
コネクタ１００は、図１に示すように、下側の第１コネクタ１０と上側の第２コネクタ２０とから構成される。
【００２３】
図２に示すように、第１コネクタ１０は、複数の第１接続端子１１と、弾性部材１７と、第１ハウジング１９とで構成されている。また、第２コネクタ２０は、複数の第２接続端子２１と、線バネ２７と、金属板２８と、第２ハウジング２９とで構成されている。
【００２４】
図１に示すように、第１コネクタ１０は、その外形形状が円形状であり、導電性の金属からなる複数の第１接続端子１１が、当該第１コネクタ１０の外形形状に沿って環状に配置されている。また、第２コネクタ２０も、その外形形状が円形状であり、導電性の金属からなる複数の第２接続端子２１が、当該第２コネクタ２０の外形形状に沿って環状に配置されている。従って、コネクタ１００の外形形状は、円形状となる。コネクタ１００の外形形状を円形状とすることによって、複数の第１接続端子１１及び複数の第２接続端子２１を外周に沿って所定のピッチで連続して効率よく配置することができる。尚、本実施形態では、コネクタ１００の外形形状が円形状であるが、外形形状が矩形状や八角形形状等の多角形形状であっても良い。
【００２５】
本実施形態において、第１コネクタ１０は、第１接続端子１１が凹部を有するレセプタクル型のコネクタであり、第２コネクタ２０は、第２接続端子２１が凸部を有するプラグ型のコネクタである。従って、第２接続端子２１の凸部が第１接続端子１１の凹部に押し込まれて、互いに嵌合することになる。尚、本実施形態においては、第１コネクタ１０を、凹部を有するレセプタクル型コネクタとし、第２コネクタ２０を、凸部を有するプラグ型コネクタとしたが、第１コネクタ１０即ち上側のコネクタが凸部を有するプラグ型コネクタであり、第２コネクタ２０即ち下側のコネクタが凹部を有するレセプタクル型コネクタであっても良い。
【００２６】
図３に示すように、第１コネクタ１０は、外部機器（図示せず）内に取り付けられる２枚の回路基板のうちの、一方の回路基板である第１回路基板６１（本実施形態では下側の回路基板）に実装され、第２コネクタ２０は、外部機器内に取り付けられる２枚の回路基板のうちの、他方の回路基板である第２回路基板６２（本実施形態では上側の回路基板）に実装される。尚、第１回路基板６１及び第２回路基板６２には、機器を機能させるための電子回路が構成されている。また、この電子回路には、回路を接地するための接地部が設けられている。
【００２７】
第１コネクタ１０の第１回路基板６１への実装時に、第１コネクタ１０の複数の第１接続端子１１は、第１回路基板６１に設けられた端子パターン（図示せず）に半田等によって取り付けられる。また、第２コネクタ２０の第２回路基板６２への実装時に、第２コネクタ２０の複数の第２接続端子２１も、第２回路基板６２に設けられた端子パターン（図示せず）に半田等によって取り付けられる。第２回路基板６２に実装された状態の第２コネクタ２０が第１回路基板６１に実装された状態の第１コネクタ１０に嵌め込まれることによって、第１回路基板６１と第２回路基板６２とが互いに接続される。
【００２８】
次に、図４及び図５を参照して、第１コネクタ１０及び第２コネクタ２０それぞれの構成について説明する。図４は、第１コネクタ１０の外観を示す斜視図であり、図５は、第２コネクタ２０の外観を示す斜視図である。
【００２９】
図４に示すように、第１コネクタ１０は、平面視で円形状の、合成樹脂で形成された第１ハウジング１９を有していて、前述した複数の第１接続端子１１は、円形状の第１ハウジング１９の外形に沿って環状に設けられている。第１ハウジング１９の、複数の第１接続端子１１の内方側には、第１位置合わせ部１３と第２位置合わせ部１５とが設けられている。
【００３０】
第１位置合わせ部１３は、第１ハウジング１９の、複数の第１接続端子１１に囲まれた平坦な領域の中央部に配設されている。第１位置合わせ部１３は、第１ハウジング１９の中央部において上方に突出した第１突起１３ａと、第１突起１３ａに取りつけられた弾性部材１７とからなる。第１位置合わせ部１３の形状は、平面視で略円形状である。
【００３１】
弾性部材１７は、第１突起１３ａの上端部に載置される天面部１７ａと、第１突起１３ａの側面に当接する弾性腕部１７ｂと、第１コネクタ端子部１７ｃとからなる。第１ハウジング１９には、第１コネクタ端子部１７ｃが配置される部分に開口が設けられており、第１コネクタ端子部１７ｃは、第１ハウジング１９に設けられた開口を介して第１コネクタ１０の下側の面から外部に露出している。第１コネクタ端子部１７ｃは、弾性部材１７が第１ハウジング１９に取り付けられた後、図３に示した第１回路基板６１に、第１接続端子１１が取り付けられる時と同時に半田等で取り付けられる。その結果、第１コネクタ端子部１７ｃは、第１回路基板６１に設けられた電子回路の接地部に接続される。
【００３２】
第２位置合わせ部１５は、第１ハウジング１９の平坦な領域からそれぞれ上方に突出した第２突起１５ａによって形成されており、第１位置合わせ部１３を挟んで複数の個所に配設されている。
【００３３】
本実施形態では、複数の第２位置合わせ部１５は、第１位置合わせ部１３をそれぞれ挟み、第１位置合わせ部１３を中心とし、それぞれが９０°の角度をなした４箇所に配設されている。詳しくは、第２位置合わせ部１５は、第１位置合わせ部１３に対して前後方向にそれぞれ配設された矩形状の第２突起１５ａと、第１位置合わせ部１３に対して左右方向にそれぞれ配設された扇型形状、即ち平面視で長手部と短手部とを有する形状の第２突起１５ａとからなっている。
【００３４】
複数の第２位置合わせ部１５によって、位置合わせ時に、第１コネクタ１０と第２コネクタ２０との位置合わせ箇所が回転方向又は前後左右方向にずれることを防止し、回転方向又は前後左右方向に対する位置合わせを容易に行なうことができる。尚、本実施形態では、第２位置合わせ部１５即ち第２突起１５ａが４箇所に配設されているが、必ずしも４箇所でなくて、２箇所又は６箇所等であっても良い。
【００３５】
図５に示すように、第２コネクタ２０は、平面視で円形状の、合成樹脂で形成された第２ハウジング２９を有していて、前述した複数の第２接続端子２１は、円形状の第２ハウジング２９の外形に沿って環状に設けられている。第２ハウジング２９の、複数の第２接続端子２１の内方側には、第１位置合わせ係合部２３と第２位置合わせ係合部２５とが設けられている。
【００３６】
第１位置合わせ係合部２３は、第２ハウジング２９の中央部を貫通した第１開口２３ａからなり、第１コネクタ１０と第２コネクタ２０とを係合させる時、第１コネクタ１０の中央部に配設された第１位置合わせ部１３が第１開口２３ａに挿入される。
【００３７】
第２位置合わせ係合部２５は、第２ハウジング２９の、第１コネクタ１０に配設された複数の第２位置合わせ部１５それぞれに対向する位置に設けられている。第２位置合わせ係合部２５は、第２ハウジング２９に設けられた第２開口２５ａであり、第１コネクタ１０に配設された複数の第２位置合わせ部１５それぞれの形状に合致した形状となっている。即ち、第２突起１５ａが矩形状である場合、第２開口２５ａは、第２突起１５ａよりわずかに大きな矩形状となり、第２突起１５ａが平面視で長手部と短手部とを有する形状である場合、第２開口２５ａも、第２突起１５ａよりわずかに大きな平面視で長手部と短手部とを有する形状となる。
【００３８】
第２ハウジング２９の下側の面には、金属板基部２８ａと第２コネクタ端子部２８ｂとが形成されている金属板２８が取り付けられており、第２ハウジング２９の平坦な面の裏側と金属板２８との間には、線バネ２７が配置されている。線バネ２７は、第１コネクタ１０と第２コネクタ２０とを嵌合させる時に用いられる。
【００３９】
金属板２８の第２コネクタ端子部２８ｂは、第２ハウジング２９に設けられた開口を介して第２ハウジング２９の下側の面から露出している。第２コネクタ端子部２８ｂは、第２接続端子２１が取り付けられる時と同時に、図３に示した第２回路基板６２に半田等で取り付けられる。その結果、第２コネクタ端子部２８ｂは、第２回路基板６２に設けられた電子回路の接地部に接続される。
【００４０】
次に、図１、図３、図６及び図７を参照して、第１コネクタ１０と第２コネクタ２０とが組み合わされた状態について説明する。図６は、第１コネクタ１０と第２コネクタ２０とが組み合わされた時の、第１位置合わせ部１３において嵌合している部分を、第２ハウジング２９を除いた状態で示した斜視図である。また、図７は、第１コネクタ１０と第２コネクタ２０とが組み合わされた状態のコネクタ１００の平面図である。
【００４１】
第１コネクタ１０と第２コネクタ２０とが組み合わされた状態においては、第１コネクタ１０の前述した複数の第１接続端子１１の凹部と第２コネクタ２０の複数の第２接続端子２１の凸部とが噛み合って接続される。
【００４２】
この時、第１コネクタ１０の中央部にある第１位置合わせ部１３において、第１コネクタ１０と第２コネクタ２０とが嵌合状態にある。前述したように、線バネ２７は、線バネ嵌合部２７ａと線バネ端部２７ｂとからなっている。図６に示すように、第１コネクタ１０の第１位置合わせ部１３に取り付けられた弾性部材１７の弾性腕部１７ｂに対して、第２コネクタ２０に取り付けられた線バネ２７の線バネ嵌合部２７ａが嵌合することによって、第１コネクタ１０と第２コネクタ２０とが嵌合状態になる。
【００４３】
第１コネクタ１０と第２コネクタ２０とが組み合わされた状態においては、図１及び図７に示すように、第１コネクタ１０の、第１突起１３ａと弾性部材１７とを含む第１位置合わせ部１３が、第２コネクタ２０の第１位置合わせ係合部２３即ち第１開口２３ａと係合している。また、この時、第１コネクタ１０の複数の第２位置合わせ部１５即ち第２突起１５ａが第２コネクタ２０の複数の第２位置合わせ係合部２５即ち第２開口２５ａとそれぞれ係合している。
【００４４】
尚、第１コネクタ１０と第２コネクタ２０とが係合している時、図３に示すように、第１コネクタ１０の第２位置合わせ部１５は、第２コネクタ２０の第２位置合わせ係合部２５内に収まっているが、第１コネクタ１０の第１位置合わせ部１３は、第２コネクタ２０の第１位置合わせ係合部２３から上方に露出している。
【００４５】
また、第１コネクタ１０と第２コネクタ２０とが組み合わされて係合している状態においては、図３に示すように、第１コネクタ１０と第２コネクタ２０とは、第１回路基板６１と第２回路基板６２とに挟まれた状態となっている。この時、第１コネクタ１０の第１位置合わせ部１３は、前述したとおり、第２コネクタ２０の第１位置合わせ係合部２３から上方に突出している。また、第２回路基板６２の中央部には、回路基板開口６２ａが設けられているため、第１コネクタ１０の第１位置合わせ部１３は、第２回路基板６２の回路基板開口６２ａの方向に突き出ることになるが、回路基板開口６２ａ内に収まる高さに設定されている。そのため、第１コネクタ１０の第１位置合わせ部１３が、第２回路基板６２の上側の面から上方に突き出ることはない。
【００４６】
次に、図８及び図９を参照して、第１コネクタ１０と第２コネクタ２０とを係合させる過程について説明する。図８は、第１コネクタ１０と第２コネクタ２０とを係合させる過程を示す斜視図であり、図８（ａ）は、係合させる直前の第１コネクタ１０と第２コネクタ２０とを示し、図８（ｂ）は、係合させている途中の第１コネクタ１０と第２コネクタ２０とを示し、図８（ｃ）は、係合させた後の第１コネクタ１０と第２コネクタ２０とからなるコネクタ１００を示している。また、図９は、第１コネクタ１０と第２コネクタ２０とを係合させる過程を、図７に示すＡ−Ａ線から見た断面図であり、図９（ａ）は、係合させる直前の第１コネクタ１０と第２コネクタ２０とを示し、図９（ｂ）は、係合させている途中の第１コネクタ１０と第２コネクタ２０とを示し、図９（ｃ）は、係合させた後の第１コネクタ１０と第２コネクタ２０とを示している。
【００４７】
図８（ａ）及び図９（ａ）に示すように、第１コネクタ１０と第２コネクタ２０とを係合させる直前においては、第１コネクタ１０と第２コネクタ２０とが離間しており、第１コネクタ１０の第１位置合わせ部１３と第２コネクタ２０の第１位置合わせ係合部２３とがそれぞれ対向する位置にある。また、第１コネクタ１０の複数の第２位置合わせ部１５と第２コネクタ２０の第２位置合わせ係合部２５とがそれぞれ対向する位置にある。
【００４８】
また、図９（ａ）に示すように、第１コネクタ１０の第１位置合わせ部１３の第２コネクタ２０に向けての突出量、即ち第１突起１３ａと弾性部材１７とからなる第１位置合わせ部１３の第１ハウジング１９の平坦部からの高さは、第２位置合わせ部１５の第２コネクタ２０に向けての突出量、即ち第２突起１５ａの第１ハウジング１９の平坦部からの高さよりも大きい。
【００４９】
次に、図８（ｂ）及び図９（ｂ）に示すように、第１コネクタ１０と第２コネクタ２０とを係合させる途中においては、第１位置合わせ部１３の第２コネクタ２０に向けての突出量が、第２位置合わせ部１５の第２コネクタ２０に向けての突出量よりも大きいため、第１位置合わせ部１３が、最初に第２コネクタ２０の第１位置合わせ係合部２３即ち第１開口２３ａに挿入される。
【００５０】
その後、複数の第２位置合わせ部１５即ち第２突起１５ａが、第２コネクタ２０の第２位置合わせ係合部２５即ち第２開口２５ａに挿入される。
【００５１】
次に、図８（ｃ）及び図９（ｃ）に示すように、第１コネクタ１０と第２コネクタ２０とが係合された後においては、第１コネクタ１０の第１位置合わせ部１３は、第２コネクタ２０の第１位置合わせ係合部２３の第１開口２３ａに収納されると共に、第１位置合わせ部１３が第１開口２３ａから上方に突出する。
【００５２】
第１コネクタ１０の複数の第２位置合わせ部１５即ち第２突起１５ａが、第２コネクタ２０の第２位置合わせ係合部２５の第２開口２５ａに収納されると共に、第１コネクタ１０の複数の第２突起１５ａの上端が、第２コネクタ２０の第２位置合わせ係合部２５付近の、第２ハウジング２９の平坦部とほぼ同一の高さとなる。
【００５３】
［変形例］
次に、図１０及び図１１を参照して、コネクタ１００の変形例としての、コネクタ２００について説明する。図１０は、コネクタ２００の外観を示す斜視図であり、図１１は、第１回路基板６１及び第２回路基板６２に取り付けられた状態のコネクタ２００の側面図である。
【００５４】
コネクタ２００は、図１０に示すように、下側の第１コネクタ３０と上側の第２コネクタ４０とから構成される。
【００５５】
第１コネクタ３０を構成する部材は、コネクタ１００の第１コネクタ１０を構成する部材と同一であり、第２コネクタ４０を構成する部材も、コネクタ１００の第２コネクタ２０を構成する部材と同一であるため、それらの部材に対する説明を省略する。コネクタ２００のコネクタ１００に対する相違点は、第１コネクタ３０及び第２コネクタ４０の外形形状が第１コネクタ１０及び第２コネクタ２０の外形形状と異なることと、第２位置合わせ部３５及び第２位置合わせ係合部４５の設置数が第２位置合わせ部１５及び第２位置合わせ係合部２５の設置数と異なることだけである。
【００５６】
図１０に示すように、第１コネクタ３０は、その外形形状が矩形状であり、導電性の金属からなる複数の第１接続端子３１が、当該第１コネクタ３０の外形形状に沿って環状に配置されている。また、第２コネクタ４０も、その外形形状が矩形状であり、導電性の金属からなる複数の第２接続端子４１が、当該第２コネクタ４０の外形形状に沿って環状に配置されている。
【００５７】
本実施形態の変形例において、第１コネクタ３０は、第１接続端子３１が凹部を有するレセプタクル型のコネクタであり、第２コネクタ４０は、第２接続端子４１が凸部を有するプラグ型のコネクタである。従って、第２コネクタ４０の凸部が第１コネクタ３０の凹部に押し込まれて、互いに嵌合することになる。
【００５８】
図１１に示すように、第１コネクタ３０は、電子機器（図示せず）内に取り付けられる２枚の回路基板のうちの、一方の第１回路基板６１（本実施形態では下側の回路基板）に実装され、第２コネクタ４０は、電子機器内に取り付けられる２枚の回路基板のうちの、他方の第２回路基板６２（本実施形態では上側の回路基板）に実装される。
【００５９】
この実装時に、第１コネクタ３０の複数の第１接続端子３１は、第１回路基板６１に設けられた端子パターン（図示せず）に半田等によって取り付けられる。また、第２コネクタ４０の複数の第２接続端子４１も、第２回路基板６２に設けられた端子パターン（図示せず）に半田等によって取り付けられる。第２回路基板６２に実装された状態の第２コネクタ４０が第１回路基板６１に実装された状態の第１コネクタ３０に嵌め込まれることによって、第１回路基板６１と第２回路基板６２とが互いに接続される。
【００６０】
第１コネクタ３０と第２コネクタ４０とが組み合わされた状態においては、図１０に示すように、第１コネクタ３０の第１位置合わせ部３３が、第２コネクタ４０の第１位置合わせ係合部４３と係合している。また、この時、第１コネクタ３０の複数の第２位置合わせ部３５が第２コネクタ４０の複数の第２位置合わせ係合部４５とそれぞれ係合している。
【００６１】
尚、コネクタ１００では、第２位置合わせ部１５及び第２位置合わせ係合部２５は、それぞれ４箇所に配設されていたが、コネクタ２００では、第１コネクタ３０及び第２コネクタ４０の外形形状が矩形状をしていることにより、回転方向への係止を必要としないため、第２位置合わせ部３５及び第２位置合わせ係合部４５が配設される箇所は、それぞれ２箇所のみとなっている。
【００６２】
第１コネクタ３０と第２コネクタ４０とが係合している時、図１１に示すように、第１コネクタ３０の第２位置合わせ部３５は、第２コネクタ４０の第２位置合わせ係合部４５内に収まっているが、第１コネクタ３０の第１位置合わせ部３３は、第２コネクタ４０の第１位置合わせ係合部４３より上方に露出している。
【００６３】
第１コネクタ３０と第２コネクタ４０とが組み合わされて係合している状態においては、第１コネクタ３０と第２コネクタ４０とは、第１回路基板６１と第２回路基板６２とに挟まれている。第２回路基板６２の中央部には、回路基板開口６２ａが設けられており、第２コネクタ４０の第１位置合わせ係合部４３から上方に露出している第１コネクタ３０の第１位置合わせ部３３は、第２回路基板６２の回路基板開口６２ａ内に収まっている。
【００６４】
コネクタ２００の、第１コネクタ３０と第２コネクタ４０とを係合させる過程は、コネクタ１００の、第１コネクタ１０と第２コネクタ２０とを係合させる過程と同一であるため、その説明を省略する。
【００６５】
以下、本実施形態としたことによる効果について説明する。
コネクタ１００は、第１位置合わせ部１３と第１位置合わせ係合部２３との位置合わせ、及び第２位置合わせ部１５と第２位置合わせ係合部２５との位置合わせの２段階の位置合わせを行なうため、端子数が多くなっても第１コネクタ１０と第２コネクタ２０とを確実に接続させることができる。それと共に、第１位置合わせ部１３の第２コネクタ２０に向けての突出量を、第２位置合わせ部１５の第２コネクタ２０に向けての突出量よりも大きくしたので、第１位置合わせ部１３と第１位置合わせ係合部２３との位置合わせを最初に行なうことができ、第１コネクタ１０と第２コネクタ２０との接続を容易に行なうことができる。
【００６６】
また、最初に位置合わせが行なわれる箇所が第１ハウジング１９の中央部にある第１位置合わせ部１３であり、次に位置合わせが行なわれる箇所が第１位置合わせ部１３を挟んで配設された第２位置合わせ部１５であるため、偏りの少ない接続を行なうことができる。
【００６７】
また、第２ハウジング２９の中央部に貫通した第１開口２３ａを設けたので、第２コネクタ２０が取りつけられる第２回路基板６２の、第１位置合わせ係合部２３に対応する部分にも貫通する回路基板開口６２ａを形成しておくことによって、第１位置合わせ部１３が正しく位置合わせできているかを確認することができると共に、第１コネクタ１０の第１位置合わせ部１３の突出量を大きくすることができる。その結果、第１位置合わせ部１３の突出量と第２位置合わせ部１５の突出量との差を大きく取れるので確実な係合を行なうことができる。
【００６８】
また、第１位置合わせ部１３が略円形状であることで回転方向での位置ずれを気にせずに位置合わせすることができる。また、第２位置合わせ部１５が平面視で長手部と短手部とを有する形状又は矩形状であることによって、回転方向における位置合わせを容易に行なうことができる。
【００６９】
また、第１コネクタ１０及び第２コネクタ２０の外形形状が円形状であるため、第１コネクタ１０及び第２コネクタ２０の外形形状が円形状でない場合（例えば矩形状の場合）に比べて、接続端子１１及び接続端子２１を外周全体に亘って連続して配置できるため、コネクタ１００本体の実装面積をより小さくすることができる。
【００７０】
以上説明したように、本発明のコネクタは、第１位置合わせ部と第１位置合わせ係合部との位置合わせ、及び第２位置合わせ部と第２位置合わせ係合部との位置合わせの２段階の位置合わせを行なうため、端子数が多くなっても第１コネクタと第２コネクタとを確実に接続させることができる。それと共に、第１位置合わせ部の第２コネクタに向けての突出量を、第２位置合わせ部の第２コネクタに向けての突出量よりも大きくしたので、第１位置合わせ部と第１位置合わせ係合部との位置合わせを最初に行なうことができ、第１コネクタと第２コネクタとの接続を容易に行なうことができる。
【００７１】
本発明は上記の実施形態に限定されるものではなく、要旨を逸脱しない範囲で種々変更して実施することが可能である。
【符号の説明】
【００７２】
１０    第１コネクタ
１１    第１接続端子
１３    第１位置合わせ部
１３ａ  第１突起
１５    第２位置合わせ部
１５ａ  第２突起
１７    弾性部材
１７ａ  天面部
１７ｂ  弾性腕部
１７ｃ  第１コネクタ端子部
１９    第１ハウジング
２０    第２コネクタ
２１    第２接続端子
２３    第１位置合わせ係合部
２３ａ  第１開口
２５    第２位置合わせ係合部
２５ａ  第２開口
２７    線バネ
２７ａ  線バネ嵌合部
２７ｂ  線バネ端部
２８    金属板
２８ａ  金属板基部
２８ｂ  第２コネクタ端子部
２９    第２ハウジング
３０    第１コネクタ
３１    第１接続端子
３３    第１位置合わせ部
３５    第２位置合わせ部
４０    第２コネクタ
４１    第２接続端子
４３    第１位置合わせ係合部
４５    第２位置合わせ係合部
６１    第１回路基板
６２    第２回路基板
６２ａ  回路基板開口
１００  コネクタ
２００  コネクタ
【図１】
2016207260.tif 000003
【図２】
2016207260.tif 000004
【図３】
2016207260.tif 000005
【図４】
2016207260.tif 000006
【図５】
2016207260.tif 000007
【図６】
2016207260.tif 000008
【図７】
2016207260.tif 000009
【図８】
2016207260.tif 000010
【図９】
2016207260.tif 000011
【図１０】
2016207260.tif 000012
【図１１】
2016207260.tif 000013
【図１２】
2016207260.tif 000014